(57)【要約】      （修正有）【課題】少ない部品構成で車両を損傷させることなく安全確実に吊上げ作業を行うことができる車両用吊上げ具を提供する。【解決手段】ハブ金具１は、車輪を固定するハブに突設された複数のハブボルトにそれぞれ一端部を螺合して連結される複数の長ナット部材１０と、一方の面側に長ナット部材１０の他端部が固定ネジ１２により締付固定された支持板部１１ａ及び支持板部１１ａの他方の面側に突設された係合部１１ｂからなるプレート部材１１を備えており、係合部１１ｂには、支持孔１１ｃに係合金具１４が支持ピン１５により回動自在に取り付けられる。そして、吊上げ用ベルト２の端部に形成された係合穴部２０に係合金具１４が挿入されて係止される。【選択図】図１
2007063018.tif 000002
【特許請求の範囲】
【請求項１】
車軸に連結されたハブに車輪を固定する固定部材に代えて当該ハブに固定されるハブ金具と、前記ハブ金具に係止する係止部を有する吊上げ用ベルトとを備えていることを特徴とする車両用吊上げ具。
【請求項２】
前記固定部材は、前記ハブに突設されたハブボルトに固定されるハブナットであり、前記ハブ金具は、前記ハブナットに代えて一端部が前記ハブボルトに固定される長ナット部材を備えていることを特徴とする請求項１に記載の車両用吊上げ具。
【請求項３】
前記固定部材は、前記ハブに穿設されたハブナット部に固定されるハブボルトであり、前記ハブ金具は、前記ハブボルトに代えて前記ハブナット部に固定されるボルト部を一端部に有する長ナット部材を備えていることを特徴とする請求項１に記載の車両用吊上げ具。
【請求項４】
前記ハブ金具は、一方の面側に前記長ナット部材の他端部が固定される支持板部及び当該支持板部の他方の面側から突設されて前記吊上げ用ベルトの係止部と係合する係合部を有するプレート部材を備えていることを特徴とする請求項２又は３に記載の車両用吊上げ具。
【請求項５】
前記吊上げ用ベルトを両側に係止して前記吊上げ用ベルトの間に所定の間隔を保持させる間隔保持部材を備えていることを特徴とする請求項１から４のいずれかに記載の車両用吊上げ具。
【請求項６】
前記間隔保持部材は、両端からそれぞれ前記吊上げ用ベルトを内部に引き込み可能に形成されるとともに長手方向に複数の長さ調整孔が設けられた棒状の保持枠体と、前記長さ調整孔に挿着して保持されるとともに前記保持枠体の両端からそれぞれ引き込まれた前記吊上げ用ベルトを係止する調整ピンとを備えていることを特徴とする請求項５に記載の車両用吊上げ具。
【発明の詳細な説明】
【技術分野】
【０００１】
本発明は、自動車等の車両をクレーン等で吊り上げる際に用いられる車両用吊上げ具に関するものである。
【背景技術】
【０００２】
事故等により破損して動けなくなった自動車を運搬車に積み込む場合や道路から転落したり脱輪した自動車を引上げる場合に、クレーンを用いて自動車を吊り上げる作業が行われている。こうした吊り上げ作業では、吊上げ用のワイヤ等を直接自動車に取り付けて作業を行うと自動車が損傷したり破損するおそれがあるため、様々な対応策が講じられている。
【０００３】
例えば、特許文献１では、先端に連結フックを設けた車体連結ロープを付設した２本の骨体の中間部を軸着し、骨体に取り付けた複数本の吊上ワイヤをクレーンで引き上げるようにしたアタッチメントが記載されている。また、特許文献２では、自動車の車輪の外側の面に対し所定の距離を隔てて側方に配置される本体部と、本体部から突出して形成された、車輪の外側の面に当接する当接用腕部と、当接用腕部よりも下方の位置で本体部から突出して形成された、車輪を下方から支持する支持用腕部と、懸吊用ロープの案内手段とを備えた車両用懸吊器具が記載されている。
【特許文献１】特開平９−１８３５８５号公報
【特許文献２】特開２００１−１８０４５４号公報
【発明の開示】
【発明が解決しようとする課題】
【０００４】
上述した先行文献では、吊上げに用いる器具が車体に触れて傷付けるのを防止するようにしているが、特許文献１のように、車輪に連結フックを係止して車体を引き上げる場合、車輪が損傷してしまうことになり、また、クレーンで車体を横方向に振る場合等において連結フックが車輪から外れるおそれがある。特許文献２のように、タイヤに吊上げ用の器具を取り付ける場合には、事故車のタイヤが埋まっている場合や溝に嵌り込んでいる場合に取り付けることが極めて困難であり、またタイヤのサイズが異なる場合にそれに対応したサイズの器具を準備する必要があり、コストアップの要因となる。
【０００５】
そこで、本発明は、少ない部品構成で車両を損傷させることなく安全確実に吊上げ作業を行うことができる車両用吊上げ具を提供することを目的とするものである。
【課題を解決するための手段】
【０００６】
本発明に係る車両用吊上げ具は、車軸に連結されたハブに車輪を固定する固定部材に代えて当該ハブに固定されるハブ金具と、前記ハブ金具に係止する係止部を有する吊上げ用ベルトとを備えていることを特徴とする。さらに、前記固定部材は、前記ハブに突設されたハブボルトに固定されるハブナットであり、前記ハブ金具は、前記ハブナットに代えて一端部が前記ハブボルトに固定される長ナット部材を備えていることを特徴とする。さらに、前記固定部材は、前記ハブに穿設されたハブナット部に固定されるハブボルトであり、前記ハブ金具は、前記ハブボルトに代えて前記ハブナット部に固定されるボルト部を一端部に有する長ナット部材を備えていることを特徴とする。さらに、前記ハブ金具は、一方の面側に前記長ナット部材の他端部が固定される支持板部及び当該支持板部の他方の面側から突設されて前記吊上げ用ベルトの係止部と係合する係合部を有するプレート部材を備えていることを特徴とする。さらに、前記吊上げ用ベルトを両側に係止して前記吊上げ用ベルトの間に所定の間隔を保持させる間隔保持部材を備えていることを特徴とする。さらに、前記間隔保持部材は、両端からそれぞれ前記吊上げ用ベルトを内部に引き込み可能に形成されるとともに長手方向に複数の長さ調整孔が設けられた棒状の保持枠体と、前記長さ調整孔に挿着して保持されるとともに前記保持枠体の両端からそれぞれ引き込まれた前記吊上げ用ベルトを係止する調整ピンとを備えていることを特徴とする。
【発明の効果】
【０００７】
本発明は、車軸に連結されたハブに車輪を固定する固定部材に代えて当該ハブに固定されるハブ金具を用いて車両を吊り上げるので、十分な取付強度が得られてハブ金具が車体から外れることはない。そして、ハブ金具が車軸と一体化するためクレーン等で吊り上げて横方向に移動するといった作業においても安定した吊上げ状態を維持することができる。
【０００８】
また、ハブ金具をハブに固定するため、タイヤが埋まっていても車輪のハブ部分が露出していれば取り付けることが可能で、例え埋まっている場合でもハブ部分は簡単に掘り出すことができることから、悪条件下においても迅速な吊上げ作業を行うことが可能となる。そして、ハブに車輪を固定するための構造は、数パターンに標準化されており、これらのパターンにハブ金具を対応させておけば、吊上げ作業を行う際に携帯する部材を少なくすることができる。例えば、ハブに車輪を固定するためにハブボルトを用いる構造では、ハブボルト４本、５本及び６本のパターンがあるが、１つのハブ金具で複数のパターンに対応させることが可能であり、作業の簡略化とコスト低減を図ることができる。
【０００９】
また、吊上げ用ベルトをハブ金具に係止して吊上げ作業を行うようにすれば、吊上げ用ベルトに柔軟性を持たせて車両に吊上げ用ベルトが接触しないように作業を行うことが容易となり、万一吊上げ用ベルトが接触しても損傷を最小限に抑えることができる。
【００１０】
ハブに車輪を固定する固定部材が、ハブに突設されたハブボルトに固定されるハブナットである場合には、前記ハブナットに代えて一端部が前記ハブボルトに固定される長ナット部材を用いることで、ハブ金具を車輪から外方に向かって突出させることができ、吊上げ用ベルトの係合位置を車体から離れた位置に設定することが可能となる。また、長ナット部材のねじピッチや外径をハブナットと同一形状にしておけば、ハブナットを締付固定するための工具を使用できるとともに十分な取付強度を得ることができる。
【００１１】
同様に、ハブに車輪を固定する固定部材が、ハブに穿設されたハブナット部に固定されるハブボルトである場合には、ハブボルトに代えてハブナット部に固定されるボルト部を一端部に有する長ナット部材を用いることで、吊上げ用ベルトの係合位置を車体から離れた位置に設定することができ、長ナット部材の一端部に取り付けたボルト部のねじピッチをハブボルトと同一に設定し長ナット部材の外径をハブボルトと同一形状にしておけば、ハブボルトを締付固定するための工具を使用できるとともに十分な取付強度を得ることができる。そして、長ナット部材のボルト部を着脱可能に取り付けられるようにしておけば、固定部材がハブナット及びハブボルトのどちらの場合でも同じ長ナット部材を使用することができるようになる。
【００１２】
また、ハブ金具が、一方の面側に長ナット部材の他端部が固定される支持板部及び当該支持板部の他方の面側から突設されて吊上げ用ベルトの係止部と係合する係合部を有するプレート部材を備えていることで、複数本の長ナット部材に支持固定された高強度の支持板部を構成することができ、また、支持板部の他方の面側から係合部を突設することで、吊上げ用ベルトの係合位置を車体よりさらに離れた位置に設定することができる。
【００１３】
また、吊上げ用ベルトを両側に係止して吊上げ用ベルトの間に所定の間隔を保持させる間隔保持部材を備えていることで、複数本の吊上げ用ベルトにより車体を挟むようにしてクレーンで吊り上げる場合に吊上げ用ベルトが車体に接触しないように吊上げ用ベルトの間隔を保持することができるようになる。そして、吊上げ用ベルトの間隔が保持されるようになれば、間隔保持部材を車体に近づけて設置することも可能になり、その分吊上げ用ベルトのクレーンとの係合位置を低く設定できることから、吊上げ作業を行う場所の上方に電線等の障害物がある場合にもクレーンによる吊上げ作業をスムーズに行うことができる。
【００１４】
そして、間隔保持部材が、両端からそれぞれ吊上げ用ベルトを内部に引き込み可能に形成されるとともに長手方向に複数の長さ調整孔が設けられた棒状の保持枠体と、長さ調整孔に挿着して保持されるとともに保持枠体の両端からそれぞれ引き込まれた吊上げ用ベルトを係止する調整ピンとを備えていることで、簡単な構造で吊上げ用ベルトを両側に確実に係止して間隔保持部材の位置を固定することができるとともに吊上げ用ベルトの長さを引き込んだ分だけ短くすることが可能となる。また、引き込まれた吊り上げ用ベルトを緩めることで容易に吊上げ用ベルトの引き込み位置を変更するができ、間隔保持部材とハブ金具との間の間隔並びに間隔保持部材とクレーンの係合位置との間の間隔を状況に合せ簡単に調整することが可能となる。
【発明を実施するための最良の形態】
【００１５】
以下、本発明を添付図面に示す実施形態に基づいて詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１６】
図１は、本発明に係る実施形態である車両用吊上げ具を取り付けた状態を示す斜視図である。タイヤＴのホイールＷは、図示せぬ車体の車軸に連結したハブに取り付けられている。そして、車両用吊上げ具は、ホイールＷが取り付けられたハブに固定されたハブ金具１及びハブ金具１に係止された吊上げ用ベルト２からなる。
【００１７】
ハブ金具１は、ハブに突設された複数のハブボルトにそれぞれ一端部を螺合して連結される複数の長ナット部材１０と、一方の面側に長ナット部材１０の他端部が固定ネジ１２により締付固定された支持板部１１ａ及び支持板部１１ａの他方の面側に突設された係合部１１ｂからなるプレート部材１１を備えており、係合部１１ｂには、支持孔１１ｃに係合金具１４が支持ピン１５により回動自在に取り付けられている。そして、吊上げ用ベルト２の端部に形成された係合穴部２０に係合金具１４が挿入されて係止されている。
【００１８】
図２は、ハブ金具１を分解した状態を示す斜視図である。ハブＨに突設して固定されたハブボルトＨＢにホイールＷの固定孔ＷＨが嵌合しており、ハブボルトＨＢには長ナット部材１０の一端部が螺合して固定される。通常は、ハブナットＨＮがハブボルトＨＢに締付固定されるが、この例ではハブナットＨＮに代えて長ナット部材１０が締付固定されている。そして、長ナット部材１０の他端部には支持板部１１ａに穿設された固定孔１１ｄが対向配置されて固定ネジ１２がワッシャ１３とともに締付固定される。
【００１９】
図３は、ハブ金具１の変形例を示す分解斜視図である。この例では、ハブＨに穿設されたハブナット部ＨＮ’にハブボルトＨＢ’が締付固定されることでホイールＷがハブＨに固定されるようになっている。ハブボルトＨＢ’の代わりに長ナット部材１０を固定するために、長ナット部材１０の一端部にボルト部１６を取り付けている。ボルト部１６は、両側がねじ切りされており、一端部１６ａがハブナット部ＨＮ’に螺合可能なように同じピッチで形成され、他端部１６ｂが長ナット部材１０の一端部に螺合可能なように同じピッチで形成されている。そして中央部分はねじ切りされておらず、両側にハブナット部ＨＮ’及び長ナット部材１０が締付固定できるようになっている。こうしたボルト部１６を用いることで、図２で用いた長ナット部材１０を図３の場合でも使用できるようになる。
【００２０】
図４は、長ナット部材１０の一例を示す正面図（図４（ａ））、側面図（図４（ｂ））及び斜視図（図４（ａ））である。長ナット部材１０は、金属製材料からなり、外周は六角形状で所定の長さを有する角柱に形成されている。外周の六角形状はハブボルトやハブナットと同じ寸法に設定されており、そのためハブボルトやハブナットを締付固定するために使用する工具を長ナット部材１０の締付固定に兼用することができる。また、長ナット部材１０の軸方向の長さは、ホイールＷの外表面から突出する程度の長さに設定しておくとよい。なお、外周の六角形状は、締付固定することができるのであればそれ以外の形状にしてもよい。
【００２１】
長ナット部材１０の中心部には、軸方向に沿って貫通するネジ穴１０ａが穿設されており、上述したように、一端部にハブボルトＨＢ又はボルト部１６が螺合して固定され、他端部には固定ネジ１２が螺合して固定される。
【００２２】
図５は、プレート部材１１の一例を示す正面図（図５（ａ））、側面図（図５（ｂ））及び斜視図（図５（ｃ））である。プレート部材１１は、金属製で円板状の支持板部１１ａの片面側の中央部に矩形状の金属板からなる係合部１１ｂの側端が溶接により固着されている。支持板部１１ａの周辺部には、ハブボルトＨＢの配置に合致するように複数の固定孔１１ｄが穿設されている。この例では、５本のハブボルトＨＢが配置されたタイプに合致するように５つの固定孔１１ｄが穿設されている。ハブボルトの配置数は、４本や６本のタイプもあるため、それらのタイプに合せて固定孔１１ｄをさらに穿設しておくこともできる。固定孔１１ｄ同士が近接して配置されると強度が低下することから、タイプに合せて複数種類のプレート部材１１を予め用意しておいてもよい。
【００２３】
係合部１１ｂは、支持板部１１ａに対して垂直に立設しており、その先端部に支持孔１１ｃが穿設されている。支持孔１１ｃには、係合金具１４に取付固定される支持ピン１５が嵌着されている。係合部１１ｂの支持板部１１ａからの長さは、係合金具１４に係止される吊上げ用ベルト２が車体に接触しないように長く設定することが望ましい。吊上げ用ベルト２の係合穴部２０を係合金具１４に係止する場合には、係合金具１４から一旦支持ピン１５を取り外して、係合金具１４を係合穴部２０に挿し込んだ後係合金具１４を支持孔１１ｃに支持ピン１５で取付固定すればよい。
【００２４】
図６は、吊上げ用ベルト２の一例を示す図である。吊上げ用ベルト２は、合成繊維製で帯状に形成されており、柔軟性を有する。両端部には、プレート部材１１の係合金具１４又はクレーン等の重機のフックに係止される係合穴部２０が形成されている。吊上げ用ベルト２の長さは、後述するように、間隔保持部材に取り付けて長さ調整をする場合には３〜５ｍ程度の長めに設定し、間隔保持部材を使用せずに単独で吊上げる場合には１〜２ｍ程度の短めに設定すればよく、複数種類の長さの吊上げ用ベルトを用意しておき、状況に応じて適宜選択して使用すればよい。
【００２５】
図７は、間隔保持部材３０の一例を示す平面図（図７（ａ））、側面図（図７（ｂ））、Ａ−Ａ断面図（図７（ｃ））及び斜視図（図７（ｄ））である。間隔保持部材３０は、金属製の角筒状に形成されており、長手方向の長さは車体の幅よりも長くなるように設定されている。間隔保持部材３０は、長手方向に３つの側面部３０ａ及び３０ｃを有し、１つの側面は空隙となっている。その空隙の両端部には棒状の補強部材３０ｂが側面部３０ａの間に架設されている。対向する２つの側面部３０ａには、長手方向に複数の長さ調整孔３１が所定の間隔で穿設されている。
【００２６】
図８は、間隔保持部材３０の両端部に吊上げ用ベルト２を係止した状態を示す斜視図である。吊上げ用ベルト２は、３つの側面部３０ａ及び３０ｃの端部並びに補強部材３０ｂに囲まれた開口部３２から折畳まれるように引き込まれて長さ調整孔３１に挿し込まれた調整ピン３３により係止される。挿着された調整ピン３３の先端部には抜け止め用のクリップ３４が止着される。
【００２７】
吊上げ用ベルト２が引っ張られた状態では、開口部３２及び調整ピン３３に圧力が加わって、間隔保持部材３０がずれることなく位置が固定される。また、吊上げ用ベルト２の引き込まれた部分を緩めた状態で引き込み位置をずらせば間隔保持部材３０の位置調整を容易に行うことができる。そして、調整ピン３３が挿着される長さ調整孔３１の位置を変更することで吊上げ用ベルト２の引き込み長さを変更することができる。
【００２８】
図９は、上述した車両用吊上げ具を車両Ｍに装着した状態を示す正面図であり、図１０は、その装着状態を示す全体斜視図である。車両用吊上げ具を装着する場合には、まず車両Ｍの両前輪にハブ金具１を固定する。ハブ金具１を固定する場合、車輪のホイールを固定するハブナットをハブボルトから１つずつ外して長ナット部材１０を締付固定するようにすれば、ホイールを固定した状態でハブナットに代えて長ナット部材１０を固定することができる。すべてのハブナットを長ナット部材１０に交換した後長ナット部材１０にプレート部材１１の支持板部１１ａを取付固定する。
【００２９】
次に、予め一対の吊上げ用ベルト２を間隔保持部材３０の両端部に引き込んで係止しておき、吊上げ用ベルト２の一方の係合穴部２０をクレーンのフックＫに係止する。そして、クレーンを作動させて間隔保持部材３０を車体の上方に移動させ、間隔保持部材３０の高さを調整する。間隔保持部材３０の高さは、吊上げ用ベルト２の引き込み位置をずらしたり、調整ピン３３の挿し込み位置を変更することで簡単に調整できる。
【００３０】
次に、ハブ金具１の係合部１１ｂに吊上げ用ベルト２の他方の係合穴部２０を係止する。以上のように装着した後クレーンで吊り上げれば、間隔保持部材３０が吊上げ用ベルト２の間の間隔を車体の幅より大きくした状態に維持するようになり、吊上げ用ベルト２が車体に接触して損傷を与えることがない。そして、車輪を固定するハブにハブ金具１が取付固定されているので、安定した状態で両前輪を上昇させて吊上げることができる。
【００３１】
車両用吊上げ具を装着する場合、間隔保持部材３０はできるだけ低い位置に設定することが望ましいが、本発明では間隔保持部材３０に引き込まれた吊上げ用ベルト２の位置をずらせて簡単に間隔保持部材３０を上下に移動させることができ、車両の左右のバランスが悪い場合には、一方の吊上げ用ベルト２の引き込み位置をずらして左右のバランス調整を簡単に行うことができ、常に安定した状態で吊上げ作業を行うことが可能となる。
【００３２】
図１１は、車両の４輪にハブ金具を取付固定して吊上げる場合の全体斜視図である。この装着例では、両前輪に取付固定したハブ金具１に係止した一対の吊上げ用ベルト２に１本の間隔保持部材３０を取り付け、両後輪に取付固定したハブ金具１についても同様に一対の吊上げ用ベルト２を係止して１本の間隔保持部材３０を取り付け、４本の吊上げ用ベルト２をクレーンのフックＫに係止させて吊上げるようにする。４本の吊上げ用ベルトのバランスが悪い場合には、間隔保持部材の吊上げ用ベルトの引き込み位置をずらすことによって簡単に調整することができ、４輪で吊上げ作業を行う場合にも安定した状態で作業を行うことができる。
【００３３】
図１２は、車両の左右一方の側の２つの車輪を吊上げる場合の全体斜視図である。この装着例では、一方の側の２つの車輪にハブ金具１を取付固定し、各ハブ金具１に吊上げ用ベルト２を係止する。そして、２本の吊上げ用ベルト２をクレーンのフックに係止して吊り上げるようにする。この場合、間隔保持部材３０を用いる必要はないが、吊上げ用ベルト２が車体に接触しないように斜め上方にクレーンで吊り上げるようにする。
【００３４】
図１３は、車両の１つの車輪を吊り上げる場合の全体斜視図である。この装着例では、１つの車輪にハブ金具１を取付固定してハブ金具１に吊上げ用ベルト２の一端部を係止し、吊上げ用ベルト２の他端部をクレーンのフックに係止して吊り上げるようにする。この場合にも、吊上げ用ベルト２が車体に接触しないように斜め上方にクレーンで吊り上げるようにする。
【００３５】
以上説明した装着例では、ハブにハブ金具を取付固定して車両を吊り上げるので、十分な取付強度が得られてハブ金具が車体から外れることはない。そして、ハブ金具が車軸と一体化するためクレーンで吊り上げて横方向に移動するといった作業においても安定した吊上げ状態を維持することができる。
【図面の簡単な説明】
【００３６】
【図１】本発明に係る実施形態である車両用吊上げ具を取り付けた状態を示す斜視図である。
【図２】ハブ金具を分解した状態を示す斜視図である。
【図３】ハブ金具の変形例を示す分解斜視図である。
【図４】長ナット部材の一例を示す正面図、側面図及び斜視図である。
【図５】プレート部材の一例を示す正面図、側面図及び斜視図である。
【図６】吊上げ用ベルトの一例を示す図である。
【図７】間隔保持部材の一例を示す平面図、側面図、Ａ−Ａ断面図及び斜視図である。
【図８】間隔保持部材の両端部に吊上げ用ベルトを係止した状態を示す斜視図である。
【図９】車両用吊上げ具を車両に装着した状態を示す正面図である。
【図１０】車両用吊上げ具の装着状態を示す全体斜視図である。
【図１１】車両の４輪を吊上げる場合の全体斜視図である。
【図１２】車両の左右一方の側の２つの車輪を吊上げる場合の全体斜視図である。
【図１３】車両の１つの車輪を吊り上げる場合の全体斜視図である。
【符号の説明】
【００３７】
１    ハブ金具
２    吊上げ用ベルト
10    長ナット部材
11    プレート部材
12    固定ネジ
13    ワッシャ
14    係合金具
15    支持ピン
16    ボルト部
20    係合穴部
30    間隔保持部材
31    長さ調整孔
32    開口部
33    調整ピン
34    クリップ
【図１】
2007063018.tif 000003
【図２】
2007063018.tif 000004
【図３】
2007063018.tif 000005
【図４】
2007063018.tif 000006
【図５】
2007063018.tif 000007
【図６】
2007063018.tif 000008
【図７】
2007063018.tif 000009
【図８】
2007063018.tif 000010
【図９】
2007063018.tif 000011
【図１０】
2007063018.tif 000012
【図１１】
2007063018.tif 000013
【図１２】
2007063018.tif 000014
【図１３】
2007063018.tif 000015